(57)【要約】【課題】良好な輝度を具える高輝度発光ダイオードを提供する。【解決手段】高輝度発光ダイオードは、基台、光反射カップ、複数個のチップ、合成樹脂層、ミラー体及びシリコン層から構成される。基台上には電源プラグが設置され、光反射カップは基台内に対応する。光反射カップ底面は基台外面に現われ、光反射カップ内には凹部が形成される。各チップは光反射カップの凹部内に設置され、それぞれが導線によって各電源プラグに配線される。合成樹脂層（ＰＰＡ、ＬＣＰ．．．工程プラスチック）は、基台内の光反射カップに結合し、それぞれ電気連接したチップ、導線及び電源プラグに対応する。この光反射カップ底面は合成樹脂層外に現われ、基台両側の各電源プラグもまた合成樹脂層外に伸びる。このミラー体底面周辺縁には延長塊が設置され、基台と相互に対応して結合する。このシリコン層はミラー体底面と基台の間に設置される。【選択図】図２
0003108026.tif 000002
【実用新案登録請求の範囲】
【請求項１】
基台、光反射カップ、チップ、合成樹脂層、ミラー体、シリコン層から構成された高輝度発光ダイオードにおいて、
電源プラグが設置された基台と、
基台内に対応して設置されて相互に結合し、底面は基台から外面が現われ、内部には凹部が形成される光反射カップと、
光反射カップの凹部内に設置され、それぞれ導線によって各電源プラグに配線されるチップと、
基台内の光反射カップに結合し、各々電気的連接したチップ、導線及び電源プラグに対応し、光反射カップ底面は合成樹脂層の外側に現われ、基台両側から各々伸びた電源プラグもまた外側に伸びる合成樹脂層と、
底面周辺縁に、延長塊が設置され、基台と相互に対応して結合するミラー体と、
ミラー体底面と基台の間に設置されるシリコン層から構成され、
これらによって、二回の光混合が行われ、良好な輝度を形成することを特徴する高輝度発光ダイオード。
【請求項２】
前記ミラー体は、底面に排気口が設置され、合成樹脂を流し込む際の排気に役立つことを特徴とする請求項１記載の高輝度発光ダイオード。
【請求項３】
前記光反射カップは、その上方周辺縁に延長凸部が伸び、基台内側壁には凹槽が設置され、そこで光反射カップと基台が対応して結合することを特徴とする請求項１記載の高輝度発光ダイオード。
【請求項４】
前記光反射カップは、凹部内に赤、青、緑の三色のチップが設置されることを特徴とする請求項１記載の高輝度発光ダイオード。
【考案の詳細な説明】
【技術分野】
【０００１】
本考案は、高輝度発光ダイオードに関するもので、第二次光混合により、良好な輝度を形成し、大型表示看板、売場、展示照明、各種商業広告看板、照明具及びバックライト等もしくは同等品に適する発光ダイオードである。
【背景技術】
【０００２】
公知の発光ダイオード（図５参照）は、基台８が設置され、その基台８両側にはそれぞれ電源プラグ８１が設置される。また基台８上には凹部８２が形成され、その凹部８２上には各色のチップ８３が設置され、その各色チップ８３はそれぞれ導線８４によって各電源プラグ８１に配線される。また透光ゴム体８５によって封をする。
【特許文献１】特開２００３−２２４３０６号公報
【考案の開示】
【考案が解決しようとする課題】
【０００３】
従来の上述した発光ダイオードは各色のチップ８３の光源には色混合効果を具えているものの、一回の光混合だけであるため、良好な輝度を得られず、実用的でない点である。
本考案の解決しようとする問題点は、上述した点に鑑みてなされたもので、二回の光混合として、良好な輝度が得られる高輝度発光ダイオードを提供することにある。
【課題を解決するための手段】
【０００４】
本考案は、基台、光反射カップ、複数個のチップ、合成樹脂層、ミラー体及びシリコン層から構成される。基台上には電源プラグが設置され、光反射カップは基台内に対応する。光反射カップ底面は基台外面に現われ、光反射カップ内には凹部が形成される。各チップは光反射カップの凹部内に設置され、それぞれが導線によって各電源プラグに配線される。合成樹脂層（ＰＰＡ、ＬＣＰ．．．工程プラスチック）は、基台内の光反射カップに結合し、それぞれ電気連接したチップ、導線及び電源プラグに対応する。この光反射カップ底面は合成樹脂層外に現われ、基台両側の各電源プラグもまた合成樹脂層外に伸びる。このミラー体底面周辺縁には延長塊が設置され、基台と相互に対応して結合する。このシリコン層は、ミラー体底面と基台の間に設置されることを最も主要な特徴とする。
【０００５】
すなわち、前記問題点を解決するために、請求項１の考案は、基台、光反射カップ、チップ、合成樹脂層、ミラー体、シリコン層から構成された高輝度発光ダイオードにおいて、電源プラグが設置された基台と、基台内に対応して設置されて相互に結合し、底面は基台から外面が現われ、内部には凹部が形成される光反射カップと、光反射カップの凹部内に設置され、それぞれ導線によって各電源プラグに配線されるチップと、基台内の光反射カップに結合し、各々電気的連接したチップ、導線及び電源プラグに対応し、光反射カップ底面は合成樹脂層の外側に現われ、基台両側から各々伸びた電源プラグもまた外側に伸びる合成樹脂層と、底面周辺縁に、延長塊が設置され、基台と相互に対応して結合するミラー体と、ミラー体底面と基台の間に設置されるシリコン層から構成され、これらによって、二回の光混合が行われ、良好な輝度を形成することを特徴する高輝度発光ダイオードである。
請求項２の考案は、前記ミラー体は、底面に排気口が設置され、合成樹脂を流し込む際の排気に役立つことを特徴とする請求項１記載の高輝度発光ダイオードである。
請求項３の考案は、前記光反射カップは、その上方周辺縁に延長凸部が伸び、基台内側壁には凹槽が設置され、そこで光反射カップと基台が対応して結合することを特徴とする請求項１記載の高輝度発光ダイオードである。
請求項４の考案は、前記光反射カップは、凹部内に赤、青、緑の三色のチップが設置されることを特徴とする請求項１記載の高輝度発光ダイオード。
【考案の効果】
【０００６】
本考案の高輝度発光ダイオードは、ミラー体の設置によって第二次光混合が実施され、良好な輝度を具えるという利点がある。
また、ミラー体底面周辺縁に設置した延長塊により、基台と相互に対応して結合される。更にミラー体底面両側に排気口が設置されることにより、合成樹脂を流し込む際の排気に役立つ。
【考案を実施するための最良の形態】
【０００７】
図１から図３に示すとおり、本考案は、基台１、光反射カップ２、複数個のチップ３、合成樹脂層５、ミラー体６、シリコン層７から構成される。そのうち、基台１上には、電源プラグ１１が設置され、基台１内側壁には凹槽１２が成形される。
光反射カップ２は、基台１内に対応して相互に結合し、その光反射カップ２底面は基台１の外側に現われる。内側には凹部２１が形成され、上方周辺縁には凸縁２２が成形される。この光反射カップ２は陶磁、プラスチックもしくは金属材から作られる。
複数個のチップ３は、光反射カップ２の凹部２１内に設置され、それぞれ導線４によって各電源プラグ１１に配線される。そのうち、光反射カップ２の凹部２１内には少なくとも赤、青、緑の三色のチップ３が設置される。
合成樹脂層５（この合成樹脂層はＰＰＡ、ＬＣＰ．．．工程プラスチック）は、基台１内の光反射カップ２に結合され、それぞれ電気的接続したチップ３、導線４及び電源プラグ１１に対応する。また光反射カップ２底面が、合成樹脂層５外側に現われ、基台１両側に各々伸びた電源プラグ１１もまた合成樹脂層５外面に現れる。
ミラー体６は、光の一部を反射させる半光透過性のもので、底面周辺縁に延長塊６１，６２が成形され、基台１と相互に対応して結合する。このミラー体６底面には排気口６３が設置され、合成樹脂を流し込む際の排気に役立つ。
シリコン層７は、ミラー体６底面と基台１の間に設置される。
【０００８】
上述の構造により、図１から図４に示すとおり、光反射カップ２の凹部２１には少なくとも赤、青、緑の三色のチップ３が設置され、そこで第一次光混合が行われる。続いて底面周辺縁に延長塊６１，６２が設置されたミラー体６と基台１が相互に結合するため、光源がミラー体６を通過すると、第二次光混合が実施され、良好な輝度を形成する。図４に示すのは、本考案の実験分布指示図であるが、本考案ではミラー体６が設置されているため、発光ダイオードは±４５度内の光源が均一に分布する。別にミラー体６底面周辺縁に設置した延長塊６１、６２は、基台１と相互に結合し、ミラー体６底面両側に設置した排気口６３から合成樹脂を流し込む際の排気に役立ち、良好な輝度となり、実用性を具える。
【図面の簡単な説明】
【０００９】
【図１】本考案の実施例の立体外観図である。
【図２】本考案の実施例の立体部品分解図である。
【図３】本考案の実施例の断面指示図である。
【図４】本考案の実施例の光源が均一分布状態指示図である。
【図５】公知の実施例の使用指示図である。
【符号の説明】
【００１０】
１        基台
１１        電源プラグ
１２        凹槽
２        光反射カップ
２１        凹部
２２        延長凸部
３        チップ
４        導線
５        合成樹脂層
６        ミラー体
６１        延長塊
６２        延長塊
６３        排気口
７        シリコン層
８        基台
８１        電源プラグ
８２        凹部
８３        チップ
８４        導線
８５        ゴム体
【図１】
0003108026.tif 000003
【図２】
0003108026.tif 000004
【図３】
0003108026.tif 000005
【図４】
0003108026.tif 000006
【図５】
0003108026.tif 000007